(57)【要約】      （修正有）【課題】カードを簡単に出し入れすることができ、カードを見つけやすく、短時間で探すことができるカード入れを提供する。【解決手段】本体２と区画部材３と各側蛇腹部材４，５とからなり、本体２の各側部材７，８を開閉するように折曲げ部６により折曲げ可能に構成し、区画部材３の各内縁を中心に各外縁を開閉するように折曲げ部６に回動可能に固着し、本体２の各側部材７，８を閉じた状態においては区画部材３が閉じて各外縁が揃って重なり、一方、各側部材７，８を開いた状態においては区画部材３が開いて各外縁が等間隔に広がるように、区画部材３の幅方向両側縁に各側蛇腹部材４，５を固着して伸縮可能に構成し、区画部材３と各側蛇腹部材４，５とによりカード収納部１７を形成したことを特徴とする。【選択図】図１
0003149581.tif 000002
【実用新案登録請求の範囲】
【請求項１】
略長四角形状の本体と略長四角形状の複数の区画部材と伸縮可能な一対の各側蛇腹部材とからなり、
前記本体は、長手方向中央に幅方向に延びる折曲げ部を設けるとともに前記折曲げ部を挟んで長手方向両側に各側部材を設け、
前記本体は、各側部材を開閉するように前記折曲げ部により折曲げ可能に構成し、
前記複数の区画部材は、長手方向一側の各内縁を中心に長手方向他側の各外縁を開閉するように前記各内縁を揃えて前記折曲げ部に回動可能に固着し、
前記各側蛇腹部材は、前記本体の各側部材を閉じた状態においては前記複数の区画部材が閉じて各外縁が揃って重なり、一方、前記本体の各側部材を開いた状態においては前記複数の区画部材が開いて各外縁が等間隔に広がるように、前記複数の区画部材の幅方向両側縁に固着して伸縮可能に構成し、
前記複数の区画部材と前記各側蛇腹部材とによりカード収納部を形成したことを特徴とするカード入れ。
【請求項２】
前記各側蛇腹部材の各外周縁には、前記区画部材から離れるにしたがい外縁よりも低くなるように湾曲する各側蛇腹用切欠部を設けたことを特徴とする請求項１に記載のカード入れ。
【請求項３】
前記複数の区画部材の幅方向一側の外縁には、幅方向中心から離れるにしたがい幅方向他側よりも低くなるように湾曲する区画用切欠部を設け、
前記複数の区画部材の幅方向一側縁に取り付けられた一側蛇腹部材には、前記区画用切欠部に連続して前記区画部材から離れるにしたがい外縁よりも低くなるように湾曲する一側蛇腹用切欠部を設けたことを特徴とする請求項１に記載のカード入れ。
【考案の詳細な説明】
【技術分野】
【０００１】
この考案はカード入れに係り、特に、クレジットカードやキャッシュカードなどのカードを収納して携帯するためのカード入れに関する。
【背景技術】
【０００２】
近頃は、生活において、クレジットカードやキャッシュカード、サービスカードなどの各種のカードを使用する状況が増え、携帯するカードの枚数も増大している。複数枚のカードを持って外出行する場合には、カード入れに収納して携帯している。
【０００３】
従来のカード入れには、カードを収納する袋状のポケット（カード収納部）を設けた板状の台部材を複数枚重ね、各台部材の角部に回転軸となる支点を設け、すべての台部材をベルトで連結して台部材相互の回転角を一定角度に規制し、扇状に広がるようにして、カードを見やすく、かつ取りやすくしたカード入れがある。
【０００４】
また、従来のカード入れには、カードを収納する袋状のポケット（カード収納部）を設けた板状の台部材を複数枚重ね、ポケットの開口部に対して直角方向の台部材の端部を止め輪で回転可能に連結し、台部材の開口部付近に係合部を設け、この台部材に対向する他の台部材の開口部付近に前記係合部に圧接して係合する係止部を設け、カードを出し入れしやすくしたカード入れがある。
【先行技術文献】
【特許文献】
【０００５】
【特許文献１】特開２００２−３６２０７９号公報
【特許文献２】特開２００６−１１６２７７号公報
【考案の概要】
【考案が解決しようとする課題】
【０００６】
ところが、従来のカード入れは、板状の台部材に密着した状態でカードを袋状のポケットに収納しているため、収納されたカードをつかみにくく、出し入れに手間がかかる問題がある。
【０００７】
また、従来のカード入れであって、複数枚重ねた台部材を角部の支点を中心に扇形に広げるカード入れ（特許文献１）は、各カードの向きが一定方向に揃わず、互いに斜めに重なった状態で広がるため、カードが見づらい問題がある。
【０００８】
さらに、従来のカート入れであって、複数枚重ねた台部材を端部の止め輪を中心に本をめくるように広げるカード入れ（特許文献２）は、各台部材が連係していないため、カードを探す際に台部材を１枚ずつめくらなければならず、時間がかかる問題がある。
【０００９】
この考案の目的は、収納されたカードをつかみ易く、カードを簡単に出し入れすることができ、また、各カードの向きを一定方向に揃えて収納でき、カードを見つけやすく、さらに、カードを探す際に１枚ずつめくる必要がなく、短時間で探すことができるカード入れを実現することにある。
【課題を解決するための手段】
【００１０】
この考案は、略長四角形状の本体と略長四角形状の複数の区画部材と伸縮可能な一対の各側蛇腹部材とからなり、前記本体は、長手方向中央に幅方向に延びる折曲げ部を設けるとともに前記折曲げ部を挟んで長手方向両側に各側部材を設け、前記本体は、各側部材を開閉するように前記折曲げ部により折曲げ可能に構成し、前記複数の区画部材は、長手方向一側の各内縁を中心に長手方向他側の各外縁を開閉するように前記各内縁を揃えて前記折曲げ部に回動可能に固着し、前記各側蛇腹部材は、前記本体の各側部材を閉じた状態においては前記複数の区画部材が閉じて各外縁が揃って重なり、一方、前記本体の各側部材を開いた状態においては前記複数の区画部材が開いて各外縁が等間隔に広がるように、前記複数の区画部材の幅方向両側縁に固着して伸縮可能に構成し、前記複数の区画部材と前記各側蛇腹部材とによりカード収納部を形成したことを特徴とする。
【考案の効果】
【００１１】
この考案のカード入れは、本体の各側部材を開くと複数の区画部材が開いて各外縁が等間隔に広がるので、複数の区画部材と各側蛇腹部材とにより形成されるカード収納部に収納されたカードを広げた状態で露出させることができる。
このため、この考案のカード入れは、カード収納部に収納されたカードをつかみ易く、カードを簡単に出し入れすることができ、また、各カードの向きを一定方向に揃えて収納でき、カードを見つけやすく、さらに、カードを探す際に１枚ずつめくる必要がなく、短時間で探すことができる。
【図面の簡単な説明】
【００１２】
【図１】カード入れを開いた状態の斜視図である。（実施例１）
【図２】カード入れを開いた状態の平面図である。（実施例１）
【図３】カード入れを開いた状態の正面図である。（実施例１）
【図４】カード入れを開いた状態の側面図である。（実施例１）
【図５】カード入れを閉じた状態の平面図である。（実施例１）
【図６】カード入れを閉じた状態の正面図である。（実施例１）
【図７】カード入れを閉じた状態の側面図である。（実施例１）
【図８】カード入れを開いた状態の平面図である。（実施例２）
【図９】カード入れを開いた状態の正面図である。（実施例２）
【図１０】カード入れを開いた状態の側面図である。（実施例２）
【図１１】カード入れを開いた状態の平面図である。（応用例１）
【図１２】カード入れを開いた状態の正面図である。（応用例１）
【図１３】カード入れを閉じた状態の平面図である。（応用例１）
【図１４】カード入れを閉じた状態の正面図である。（応用例１）
【図１５】カード入れを閉じた状態の側面図である。（応用例１）
【図１６】カード入れを開いた状態の平面図である。（応用例２）
【図１７】カード入れを開いた状態の正面図である。（応用例２）
【図１８】財布を開いた状態の平面図である。（応用例２）
【図１９】財布を開いた状態の正面図である。（応用例２）
【図２０】カード入れ及び財布を閉じた状態の平面図である。（応用例２）
【図２１】カード入れ及び財布を閉じた状態の正面図である。（応用例２）
【図２２】カード入れ及び財布を閉じた状態の側面図である。（応用例２）
【考案を実施するための形態】
【００１３】
この考案のカード入れは、収納されたカードを広げた状態で露出させることで、カードを簡単に出し入れすることができ、カードを見つけやすくし、短時間で探すことができるようにするものである。
以下図面に基づいて、この考案の実施例を詳細た説明する。
【実施例１】
【００１４】
図１〜図７は、この考案の実施例を示すものである。図１〜図７において、１はカードＣを収納するカード入れである。カード入れ１は、略長四角形状の本体２と、略長四角形状の複数の区画部材３と、伸縮可能な一対の各側蛇腹部材４・５とからなる。
【００１５】
前記本体２は、図１〜図４に示すように、長手方向中央に幅方向に延びる折曲げ部６を設けるとともに、折曲げ部６を挟んで長手方向両側に一側部材７及び他側部材８を設けている。本体２は、折曲げ部６を中心に各側部材７・８を開閉するように、折曲げ部６により折曲げ可能に構成している。
【００１６】
前記複数の区画部材３は、図２に示すように、長手方向一側の各内縁９を中心に長手方向他側の各外縁１０を開閉するように、各内縁９を揃えて折曲げ部６に回動可能に固着しいる。これにより、複数の区画部材３は、各外縁１０を本の頁のようにめくるような状態で、各内縁９を本体２の折曲げ部６に固着される。
【００１７】
前記一側蛇腹部材４は、図１・図３に示すように、長四角形状の素材を、幅方向に延びるとともに交互に配設した一側内折り部１１と一側外折り部１２とに従い交互に折り返すことで、伸縮自在に構成される。また、前記他側蛇腹部材５は、図１・図４に示すように、長四角形状の素材を、幅方向に延びるとともに交互に配設した他側内折り部１３と他側外折り部１４とに従い交互に折り返すことで、伸縮自在に構成される。
【００１８】
各側蛇腹部材４・５は、図６に示すように、本体２の各側部材７・８を閉じた状態においては複数の区画部材３が閉じて各外縁１０が揃って重なり、一方、図２・図３に示すように、本体２の各側部材７・８を開いた状態においては複数の区画部材３が開いて各外縁１０が等間隔に広がるように、複数の区画部材３の幅方向両側縁１５・１６に各側内折り部１１・１３を固着して伸縮可能に構成する。
【００１９】
これにより、カード入れ１は、図１に示すように、複数の区画部材３と各側蛇腹部材４・５とによりカードＣを収納するカード収納部１７を形成している。このカード収納部１７は、対向する２枚の区画部材３と、この２枚の区画部材３の幅方向両側縁１５・１６にそれぞれ取り付けられて対向する各側蛇腹部材４・５との間に区画して形成される。
【００２０】
前記複数の区画部材３の幅方向両側縁１５・１６に固着した各側蛇腹部材４・５の各外周縁１８・１９には、図２・図３に示すように、区画部材３から離れるにしたがい外縁１０よりも低くなるように湾曲する各側蛇腹用切欠部２０・２１を設けている。
【００２１】
また、カード入れ１には、図１・図２に示すように、本体２の一側部材７の外側に操作部２２を取り付け、操作部２２の内側にシート状の止め部材２３を設け、本体２の他側部材８の外側の前記止め部材２３と整合する位置に、止め部材２３を圧接することにより係止するシート状の受け部材２４を設けている。カード入れ１は、図５〜７に示すように、本体２の各側部材７・８を閉じた状態において、操作部２２により止め部材２３を受け部材２４に圧接して係止することで、閉じた形態に維持される。
【００２２】
次に、作用を説明する。
カード入れ１は、図５〜図７に示すように、本体２の各側部材７・８を閉じた状態において、複数の区画部材３が閉じて各外縁１０が揃って重なっている。閉じた形態のカード入れ１は、区画部材３及び各側蛇腹部材４・５が閉じられているので、カード収納部１７に収納されたカードＣの厚さ方向を区画部材３により押圧され、カードＣの幅方向を両側の各側蛇腹部材４・５により保持され、且つ、先端側を操作部２２により覆われているので、カードＣの抜けを防止することができる。
【００２３】
閉じた形態のカード入れ１は、操作部２２により止め部材２３を受け部材２４から引き剥がすことで、図１〜図４に示すように、本体２の各側部材７・８を開くことができる。開いた状態のカード入れ１は、図３に示すように、複数の区画部材３が開いて各外縁１０が等間隔に広がるので、カード収納部１７に収納されたカードＣが区画部材３の押圧から開放され、各カード収納部１７に収納されたカードＣが間隔を開けて配列され、先端側がカード収納部１７から露出される。
【００２４】
このように、このカード入れ１は、本体２の各側部材７・８を開くと、複数の区画部材３が開いて各外縁１０が等間隔に広がるので、複数の区画部材３と各側蛇腹部材７・８とにより形成されるカード収納部１７に収納されたカードＣを広げた状態で露出させることができる。
【００２５】
これにより、このカード入れ１は、カード収納部１７に収納されたカードＣをつかみ易く、カードＣを簡単に出し入れすることができ、また、各カードＣの向きを一定方向に揃えて収納でき、カードＣを見つけやすく、さらに、カードＣを探す際に１枚ずつめくる必要がなく、短時間で探すことができるため、目的のカードＣを容易に見つけて取り出すことができる。
【００２６】
また、このカード入れ１は、各側蛇腹部材４・５の各外周縁１８・１９に、区画部材３から離れるにしたがい外縁１０よりも低くなるように湾曲する各側蛇腹用切欠部２０・２１を設けたことにより、図４に示すように、カードＣの先端側の幅方向中央よりも両側が区画部材３の外縁１０から大きく露出されるので、カード収納部１７に収納されたカードＣを両側から挟んでつかみ易く、カードＣをより簡単に出し入れすることができ、
【実施例２】
【００２７】
図８〜図１０は、この考案の他の実施例を示すものである。図８〜図１０において、前述図１〜図７と同一機能を果たす箇所には同一符号を付して説明を省略する。この実施例の特徴とするところは、略長四角形状の本体２と、略長四角形状の複数の区画部材３と、伸縮可能な一対の各側蛇腹部材４・５とからなるカード入れ１の区画部材３及び各側蛇腹部材４・５について、区画部材３に区画用切欠部２５を設け、一側蛇腹部材４に一側蛇腹用切欠部２６を設けたものである。
【００２８】
前記複数の区画部材３の幅方向一側の外縁１０には、幅方向中心から離れるにしたがい幅方向他側よりも低くなるように湾曲する区画用切欠部２５を設けている。前記複数の区画部材３の幅方向一側縁１５に固着された一側蛇腹部材４には、前記区画用切欠部２５に連続して区画部材３から離れるにしたがい外縁１０よりも低くなるように湾曲する一側蛇腹用切欠部２６を設けている。
【００２９】
なお、複数の区画部材３の幅方向他側の外縁１０と区画部材３の幅方向他側縁１６に固着された一側蛇腹部材５とには、切欠部を設けていない。
【００３０】
これにより、このカード入れ１は、図１０に示すように、カードＣの先端側の幅方向中央よりも一側が区画部材３の外縁１０及び一側蛇腹部材５の外周縁１８から大きく露出されるので、カード収納部１７に収納されたカードＣの幅方向一側を挟んでつかみ易く、カードＣをより簡単に出し入れすることができる。
【００３１】
なお、この考案は、上述実施例に限定されることなく、種々応用改変が可能である。たとえば、図１１〜図１５は、この考案の応用例を示すものである。図１１〜図１５において、前述図１〜図７と同一機能を果たす箇所には同一符号を付して説明を省略する。この応用においては、カード入れ１を財布２７に一体的に設けている。
【００３２】
カード入れ１は、図１〜図７に示すように、略長四角形状の本体２と、略長四角形状の複数の区画部材３と、伸縮可能な一対の各側蛇腹部材４・５とからなり、本体２の各側部材７・８を閉じた状態においては複数の区画部材３が閉じて各外縁１０が揃って重なり、一方、本体２の各側部材７・８を開いた状態においては複数の区画部材３が開いて各外縁１０が等間隔に広がるように、複数の区画部材３の幅方向両側縁１５・１６に各側蛇腹部材４・５を固着して伸縮可能に構成し、複数の区画部材３と各側蛇腹部材４・５とによりカード収納部１７を形成している。
【００３３】
このカード入れ１は、本体２の一側部材７を幅方向に延長して外側に財布２７の札入れ部２８を固着して開閉用のファスナー２９を設け、札入れ部２８の外側に硬貨入れ部３０を固着して開閉用のファスナー（図示せず）を設けたものである。
【００３４】
このカード入れ１は、図１３〜図１５に示すように、本体２の各側部材７・８を閉じた状態において財布２７と一体化され、操作部２２により区画部材３及び各側蛇腹部材４・５が閉じられているので、カードＣの抜けを防止することができる。また、カード入れ１は、操作部２２により止め部材２３を受け部材２４から引き剥がすことで、図１１〜図１２に示すように、本体２の各側部材７・８を開いて、目的のカードＣを容易に見つけて取り出すことができる。
【００３５】
このように、カード入れ１は、財布２７に一体的に設けているので、既存の財布２７の形態を利用して、カードＣの出し入れの容易で携帯性に優れたカード入れ１を実現することができる。
【００３６】
図１６〜図２２は、この考案の他の応用例を示すものである。図１６〜図２２において、前述図１〜図７と同一機能を果たす箇所には同一符号を付して説明を省略する。この応用においては、カード入れ１を折り畳み財布３１に一体的に設けている。
【００３７】
カード入れ１は、図１〜図７に示すように、略長四角形状の本体２と、略長四角形状の複数の区画部材３と、略扇形の各側蛇腹部材４・５とからなり、本体２の各側部材７・８を閉じた状態においては複数の区画部材３が閉じて各外縁１０が揃って重なり、一方、本体２の各側部材７・８を開いた状態においては複数の区画部材３が開いて各外縁１０が等間隔に広がるように、複数の区画部材３の幅方向両側縁１５・１６に各側蛇腹部材４・５を固着して伸縮可能に構成し、複数の区画部材３と各側蛇腹部材４・５とによりカード収納部１７を形成している。
【００３８】
このカード入れ１は、本体２の一側部材７の外側に本体２と同形状の折り畳み財布３１の基材３２の固着半部３３を固着し、固着半部３３に折曲げ部３４を介して基材３２の開閉半部３５を折曲げ可能に構成している。基材３２には、札入れ部３６を固着して札入れ口３７を設け、札入れ部２８の対向する内側に互いに係合して係止する止め具３８と受け具３９とを設け、開閉半部３５と札入れ部３６との間に硬貨入れ部４０を形成して硬貨入れ口４１を設け、硬貨入れ口４１に開閉具（図示せず）を設けたものである。
【００３９】
このカード入れ１は、図２０〜図２２に示すように、本体２の各側部材７・８を閉じた状態において財布３１と一体化され、操作部２２により区画部材３及び各側蛇腹部材４・５が閉じられているので、カードＣの抜けを防止することができる。このとき、財布３１は、止め具３８と受け具３９との係止により閉じられているので、カード入れ１と財布３１とをコンパクトに畳んだ状態で携帯することができる。
【００４０】
一方、カード入れ１は、図１６・図１７に示すように、操作部２２により止め部材２３を受け部材２４から引き剥がすことで、本体２の各側部材７・８を開いて、目的のカードＣを容易に見つけて取り出すことができる。また、財布３１は、図１８・図１９に示すように、カード入れ１の本体２の各側部材７・８を閉じた状態で、止め具３８を受け具３９から外すことで、札入れ部３６を開いて、札入れ口３７から札を取り出すことができる。さらに、財布３１は、図２０〜図２２に示すように、止め具３８と受け具３９との係止により閉じた状態でも、開閉具の操作で硬貨入れ口４１を開いて、硬貨を出し入れすることができる。
【００４１】
このように、カード入れ１は、折り畳み財布３１に一体的に設けているので、コンパクトに畳むことができ、既存の財布２７の形態を利用して、カードＣの出し入れの容易で携帯性に優れたカード入れ１を実現することができる。
【産業上の利用可能性】
【００４２】
この考案のカード入れは、カードを簡単に出し入れすることができ、カードを見つけやすくし、短時間で探すことができるものであり、クレジットカードやキャッシュカード、サービスカードなどのように、薄い四角板形状の物品の収容に適用することができる。
【符号の説明】
【００４３】
Ｃ  カード
１  カード入れ
２  本体
３  区画部材
４  一側蛇腹部材
５  他側蛇腹部材
６  折曲げ部
７  一側部材
８  他側部材
１７  カード収納部
２０  一側蛇腹用切欠部
２１  他側蛇腹用切欠部
２２  操作部
２３  止め部材
２４  受け部材
【図１】
0003149581.tif 000003
【図２】
0003149581.tif 000004
【図３】
0003149581.tif 000005
【図４】
0003149581.tif 000006
【図５】
0003149581.tif 000007
【図６】
0003149581.tif 000008
【図７】
0003149581.tif 000009
【図８】
0003149581.tif 000010
【図９】
0003149581.tif 000011
【図１０】
0003149581.tif 000012
【図１１】
0003149581.tif 000013
【図１２】
0003149581.tif 000014
【図１３】
0003149581.tif 000015
【図１４】
0003149581.tif 000016
【図１５】
0003149581.tif 000017
【図１６】
0003149581.tif 000018
【図１７】
0003149581.tif 000019
【図１８】
0003149581.tif 000020
【図１９】
0003149581.tif 000021
【図２０】
0003149581.tif 000022
【図２１】
0003149581.tif 000023
【図２２】
0003149581.tif 000024